Podtech/llm-jp-corpus-v4-ja_patent huggingface dataset:
【手続補正書】
【提出日】平成24年6月5日(2012.6.5)
【手続補正１】
【補正対象書類名】特許請求の範囲
【補正対象項目名】全文
【補正方法】変更
【補正の内容】
【特許請求の範囲】
【請求項１】
コンポーネントの同型の複数の形体を機械加工するために、ツーリング位置決めシステムがツーリングをコンポーネントに対して移動させる軌道を制御する装置であって、
前記装置は前記軌道を制御する指令を格納したメモリと、
前記指令を実行するコントローラとを具備し、
前記指令は、
前記ツーリングが第１の形体の機械加工を開始するときの入口速度と、前記ツーリングが前記第１の形体の機械加工を完了するときの出口速度を含む第１のツーリング軌道と、
前記ツーリングが第２の形体の機械加工を開始するときの入口速度と、前記ツーリングが前記第２の形体の機械加工を完了するときの出口速度を含む第２のツーリング軌道を具備し、
前記第２のツーリング軌道の前記入口速度と前記出口速度は、前記第１のツーリング軌道の前記入口速度と前記出口速度のそれぞれと異なる、
ことを特徴とする装置。
【請求項２】
前記第２のツーリング軌道は、回転した前記第１ツーリング軌道と、逆回転した前記第１ツーリング軌道のうちの少なくとも１つである
ことを特徴とする請求項１に記載の装置。
【請求項３】
前記複数の形体は、第１のカテゴリーの形体と、第２のカテゴリーの形体を含み、
前記コントローラは、当該第１のカテゴリーの２つの形体の間を第１の方向に延びる、第１の形体から形体への軌道と、
当該第２のカテゴリーの２つの形体の間を、当該第１の方向と異なる第２の方向に延びる、第２の形体から形体への軌道とを実行するようにプログラムされている
ことを特徴とする請求項１または請求項２に記載の装置。
【請求項４】
前記第１のツーリング軌道の前記入口速度と前記出口速度は、前記第１の方向と実質的に整合し、
前記第２のツーリング軌道の前記入口速度と前記出口速度は、前記第２の方向と実質的に整合する
ことを特徴とする請求項３に記載の装置。
【請求項５】
ツーリングを使ってコンポーネントの複数の環状形体を機械加工する方法であって、
形体から形体への総運動時間を短縮するか、又は、個々の形体から形体への運動に対する加速度指令の振幅を小さくするかの少なくともいずれか一方を行うために、形体単位で環状形体の機械加工に関するツーリング軌道を修正する
ことを備える方法。
【請求項６】
前記ツーリング軌道を修正することは、
各形体のために、一連の所定の等価軌道の中からツーリング軌道を選択することを備える
ことを特徴とする請求項５に記載の方法。
【請求項７】
前記ツーリング軌道を修正することは、各形体のための入口速度と出口速度を、ツーリングをプロセスシーケンスにおける前の形体から各形体へ導く、形体から形体への運動と、ツーリングを前記プロセスシーケンスにおける各形体から外して次の形体に導く、形体から形体への運動とにそれぞれ最適に整合させるようにして、各形体のために前記基本ツーリング軌道を回転させて、基本ツーリング軌道を任意の角度回転させることを備える
ことを特徴とする請求項５に記載の方法。
【請求項８】
前記基本ツーリング軌道を任意の角度回転させることは、前記基本ツーリング軌道を、９０度、１８０度、２７０度のうちのいずれか一つの角度回転させることを備えることを特徴とする請求項７に記載の方法。
【請求項９】
前記基本ツーリング軌道は筒鋸ツーリング軌道であることを特徴とする請求項８に記載の方法。
【請求項１０】
前記ツーリング軌道を修正することは、基本ツーリング軌道に関する運動方向を反転させることを備えることを特徴とする請求項５に記載の方法。
【手続補正書】
【提出日】平成24年2月10日(2012.2.10)
【手続補正１】
【補正対象書類名】特許請求の範囲
【補正対象項目名】請求項１
【補正方法】変更
【補正の内容】
【請求項１】
予備滅菌可能な支持システム（１）の中でデュアルチャンバシステム（３）を充填するための方法において、
以下の段階、すなわち、
少なくとも１つの洗浄された、滅菌されたデュアルチャンバシステム（３）をマガジン（９）に備えることであって、前記デュアルチャンバシステムは、２つのチャンバ（５，５´）を互いに分離する各々の分離要素（７）を有し、前記マガジン（９）は、前記少なくとも１つのデュアルチャンバシステム（３）を収容し、閉鎖要素（１３）によって密閉された容器（１１）に設けられており、
前記容器（１１）をクリーンルームへ入れること、
前記容器（１１）を開け、かつ前記少なくとも１つのデュアルチャンバシステム（３）の第１のチャンバ（５）を充填すること、
前記少なくとも１つのデュアルチャンバシステム（３）の前記第１のチャンバ（５）を、ガス透過性の閉鎖要素（１９）によって閉じること、
前記少なくとも１つのデュアルチャンバシステム（３）の前記第１のチャンバ（５）に入れられた溶液（Ｌ１）を凍結乾燥すること、
前記少なくとも１つのデュアルチャンバシステム（３）の前記第１のチャンバ（５）を、閉鎖要素（１９）によって閉じること、
前記少なくとも１つのデュアルチャンバシステム（３）の第２のチャンバ（５´）を充填すること、
前記少なくとも１つのデュアルチャンバシステム（３）の前記第２のチャンバ（５´）を閉じること、
前記クリーンルームから取り出すこと、
を有することを特徴とする方法。
【手続補正２】
【補正対象書類名】特許請求の範囲
【補正対象項目名】請求項２
【補正方法】変更
【補正の内容】
【請求項２】
予備滅菌可能な支持システム（１）の中でデュアルチャンバシステム（３）を充填するための方法において、
以下の段階、すなわち、
少なくとも１つの洗浄された、滅菌されたデュアルチャンバシステム（３）をマガジン（９）に備えることであって、前記デュアルチャンバシステムは、２つのチャンバ（５，５´）を互いに分離する各々の分離要素（７）を有し、前記マガジン（９）は、前記少なくとも１つのデュアルチャンバシステム（３）を収容し、閉鎖要素（１３）によって密閉された容器（１１）に設けられており、
前記容器（１１）をクリーンルームへ入れること、
前記容器（１１）を開け、かつ前記少なくとも１つのデュアルチャンバシステム（３）の第１のチャンバ（５）を充填すること、
前記少なくとも１つのデュアルチャンバシステム（３）の前記第１のチャンバ（５）を、ガス透過性の閉鎖要素（１９）によって閉じること、
-前記容器（１１）をガス透過性の閉鎖要素（１３）で閉じること、
前記少なくとも１つのデュアルチャンバシステム（３）の前記第１のチャンバ（５）に含まれている溶液（Ｌ１）を凍結乾燥すること、
前記少なくとも１つのデュアルチャンバシステム（３）の前記第１のチャンバ（５）を、閉鎖要素（１９）によって閉じること、
前記容器（１１）を開け、かつ前記少なくとも１つのデュアルチャンバシステム（３）の第２のチャンバ（５´）を閉じること、
前記少なくとも１つのデュアルチャンバシステム（３）の前記第２のチャンバ（５´）を閉じること、
前記クリーンルームから取り出すこと、
を有することを特徴とする方法。
【手続補正３】
【補正対象書類名】特許請求の範囲
【補正対象項目名】請求項１２
【補正方法】変更
【補正の内容】
【請求項１２】
前記２つのチャンバ（５，５´）を互いに分離する分離要素（７）を有する、少なくとも１つの洗浄された、滅菌されたデュアルチャンバシステム（３）と、
前記少なくとも１つのデュアルチャンバシステム（３）を収容するマガジン（９）と、
容器（１１）と、を具備し、
前記少なくとも１つのデュアルチャンバシステム（３）を有する前記マガジン（９）は、前記容器（１１）に設けられることができ、前記容器（１１）は、閉鎖要素（１３）で密閉されることができてなる予備滅菌可能な支持システム。
【手続補正書】
【提出日】平成24年4月23日(2012.4.23)
【手続補正１】
【補正対象書類名】特許請求の範囲
【補正対象項目名】全文
【補正方法】変更
【補正の内容】
【特許請求の範囲】
【請求項１】
二つ一組で同方向に共回転し、二つ一組で完全にセルフワイピングするスクリューを有し、各々正確に１つのスクリューねじ山を有し、中心線距離ａ及び外半径ｒａを有する多軸押出機用スクリューエレメントであって、１対のスクリューの歯先角の合計は
【数１】
2011524285.tif 000001
未満であり、軸対称のスクリュープロファイルの場合にはフランク円の中心点のいずれもが回転点を通っているプロファイルの対称軸に対して垂直上にないことを特徴とする前記スクリューエレメント。
【請求項２】
各々１つの断面プロファイルは０以上且つａ以下の半径を有する５個以上の円形弧から構成され、前記円形弧はその終点で互いに接線方向で合流する請求項１に記載のスクリューエレメント。
【請求項３】
本発明のスクリューエレメントを用いる二軸または多軸押出機でのプラスチック組成物の押出し方法であって、描かれている及び描かれるスクリュープロファイルの歯先角の合計は
【数２】
2011524285.tif 000002
未満であり、軸対称のスクリュープロファイルの場合にはフランク円の中心点のいずれもが回転点を通っているプロファイルの対称軸に対して垂直上にないことを特徴とする前記方法。
【手続補正書】
【提出日】平成24年4月20日(2012.4.20)
【手続補正１】
【補正対象書類名】特許請求の範囲
【補正対象項目名】全文
【補正方法】変更
【補正の内容】
【特許請求の範囲】
【請求項１】
対の同方向性で対の完全ワイピングスクリュ軸、２つ以上のスクリューねじ山Ｚ、中心線距離Ａ及び外径ＤＥを有する多軸スクリュー機械用スクリュー素子であって、１対の素子のねじ山ランドの角度の合計が０より大きく且つ
【数１】
2011524281.tif 000001
未満であることを特徴とする前記スクリュー素子。
【請求項２】
描かれている及び描かれるスクリュープロファイルのプロファイルがそれぞれ０以上且つＡ以下の半径を有する６＊Ｚ個以上の弧から構成されており、弧はその終点で互いに接線方向で合流することを特徴とする、請求項１に記載のスクリュー素子。
【請求項３】
描かれる及び描かれているスクリュープロファイルの一対の所謂対応する弧がそれぞれ
−対応する弧の角度が同じ大きさを有している；
−対応する弧の半径の合計が中心線距離に等しい；
−描かれているスクリュープロファイルの弧の中心点とその終点間の連結線の１つがそれぞれ描かれるスクリュープロファイルの対応する弧の中心点とその終点間の連結線の１つと平行に走っている；
−描かれているスクリュープロファイルの弧の終点が弧の中心点から置かれている方向がそれぞれ描かれるスクリュープロファイルの対応する弧の終点が描かれるスクリュープロファイルの弧の中心点から置かれている方向と反対である；
−描かれているスクリュープロファイルの弧の中心点は中心線距離に相当する描かれるスクリュープロファイルの対応する弧の中心点からの距離にある；
−描かれているスクリュープロファイルの弧の中心点と描かれるスクリュープロファイルの対応する弧の中心点間の連結線が描かれているスクリュープロファイルの回転点と描かれるスクリュープロファイルの回転点間の連結線と平行である；
−描かれているスクリュープロファイルの弧の中心点を描かれるスクリュープロファイルの対応する弧の中心点と一致させるために移動させなければならない方向が描かれているスクリュープロファイルの回転点を描かれるスクリュープロファイルの回転点と一致させるために移動させなければならない方向と同じである；
ことを特徴とする、請求項２に記載のスクリュー素子。
【手続補正書】
【提出日】平成24年6月18日(2012.6.18)
【手続補正１】
【補正対象書類名】特許請求の範囲
【補正対象項目名】全文
【補正方法】変更
【補正の内容】
【特許請求の範囲】
【請求項１】
データキャリアカード、特にチップカードおよび／または磁気ストライプカードであって、１つまたは複数のホイル（２，３，４）を含むカード本体（１，１０１，２０１，３０１，４０１）を有し、前記ホイル（２）または前記複数のホイル（２，３，４）の少なくとも１つが、異なる材料特性を有する少なくとも２つの隣接表面領域（２ａ，２ｂ）を含む同時押出されたホイル（２）であることを特徴とするデータキャリアカード。
【請求項２】
前記カード本体（１，１０１，２０１，３０１，４０１）が、互いに積層されおよび／または同時押出により形成された複数の重畳ホイル（２，３，４）を有することを特徴とする請求項１記載のデータキャリアカード。
【請求項３】
前記カード本体（１，１０１，２０１，３０１，４０１）が、複数の重畳ホイル（２，３，４）を有し、該ホイル（３，４）の少なくとも一部が全表面に亘って１つの材料から形成され、前記同時押出されたホイル（２）の少なくとも片側に配置されることを特徴とする請求項１または２記載のデータキャリアカード。
【請求項４】
前記同時押出されたホイル（２）または少なくとも１つの同時押出されたホイル（２）の前記少なくとも２つの表面領域（２ａ、２ｂ）が、異なる添加物を有する同じ基本材料から形成されることを特徴とする請求項１から３いずれか１項記載のデータキャリアカード。
【請求項５】
前記同時押出されたホイル（２）または少なくとも１つの同時押出されたホイル（２）の前記少なくとも２つの表面領域（２ａ、２ｂ）の少なくとも１つの表面領域（２ａ）が不透明であり、前記同時押出されたホイル（２）の前記少なくとも２つの表面領域の少なくとも１つの他の表面領域（２ｂ）が透過性、特に透明または半透明であることを特徴とする、請求項１から４いずれか１項のデータキャリアカード。
【請求項６】
前記同時押出されたまたは少なくとも１つの同時押出されたホイル（２）の前記少なくとも２つの表面領域（２ａ、２ｂ）の少なくとも１つの表面領域が偏光することを特徴とする請求項１から５いずれか１項記載のデータキャリアカード。
【請求項７】
前記同時押出されたまたは少なくとも１つの同時押出されたホイル（２）の前記少なくとも２つの表面領域（２ａ、２ｂ）の少なくとも１つの表面領域が、前記同時押出されたホイル（２）の前記少なくとも２つの領域の少なくとも１つの他の領域よりも弾性および／または耐久性の材料から形成されることを特徴とする請求項１から６いずれか１項記載のデータキャリアカード。
【請求項８】
電子識別ブックで使用するための請求項７記載のデータキャリアカードであって、前記識別ブックの縫い目に位置する前記同時押出されたまたは少なくとも１つの同時押出されたホイル（２）の領域が、前記識別ブックの縫い目に位置しない前記同時押出されたホイル（２）の領域よりも弾性であることを特徴とする、データキャリアカード。
【請求項９】
前記同時押出されたまたは少なくとも１つの同時押出されたホイル（２）の前記少なくとも２つの表面領域（２ａ、２ｂ）の少なくとも１つの領域が、１つまたは複数の以下の材料：ポリカーボネート、ＰＥＴ、ＰＥＴＧ、ＴＰＥ、ＴＰＵ、ポリオレフィン、ＰＡ、ＰＶＣ、ＡＢＳ、を含むことを特徴とする請求項１から８いずれか１項記載のデータキャリアカード。
【請求項１０】
前記同時押出されたまたは少なくとも１つの同時押出されたホイル（２）の２つの隣接表面領域（２ａ、２ｂ）の間の変わり目の少なくとも一部が、急におよび／またはなだらかに作成されることを特徴とする、請求項１から９いずれか１項記載のデータキャリアカード。
【請求項１１】
それぞれ少なくとも１つの不透明表面領域（２ａ）および少なくとも１つの透過性表面領域（２ｂ）を有する１つまたは複数の同時押出されたホイル（２）が、前記データキャリアカードが少なくとも１つの窓（６）および／または少なくとも１つの窓ストリップを有するように互いに重なって構成および／または配置されることを特徴とする、請求項１から１０いずれか１項記載のデータキャリアカード。
【請求項１２】
前記少なくとも１つの窓（６）および／または前記少なくとも１つの窓ストリップが、前記カード本体（１，１０１，２０１，３０１，４０１）を通して伸長し、および／または前記カード本体（１，１０１，２０１，３０１，４０１）の不透明領域で終わることを特徴とする、請求項１１記載のデータキャリアカード。
【請求項１３】
前記または少なくとも１つの同時押出されたホイル（２）が、複数の交互の不透明および透過性ストリップ（２ａ、２ｂ）を有し、それにより、交互の不透明および透過性ストリップ（２ａ、２ｂ）を有する重畳する同時押出されたホイル（２）の少なくとも一部が、前記少なくとも１つの窓および／または前記少なくとも１つの窓ストリップ（６）が前記配置により形成されるように配置されることを特徴とする、請求項１から１２いずれか１項記載のデータキャリアカード。
【請求項１４】
交互の不透明および透過性ストリップ（２ａ、２ｂ）を有する重畳する同時押出されたホイル（２）の少なくとも一部が、隣接ホイル（２）の透明および透過性ストリップがいずれの場合にも重畳するように配置されることを特徴とする、請求項１３記載のデータキャリアカード。
【請求項１５】
交互の不透明および透過性ストリップ（２ａ、２ｂ）を有する重畳する同時押出されたホイル（２）の少なくとも一部が、隣接ホイル（２）の不透明および透過性ストリップが互いに関して、特に９０°の角度で、オフセットおよび／または回転されるように方向付けられることを特徴とする、請求項１３または１４記載のデータキャリアカード。
【請求項１６】
前記カード本体（１，１０１，２０１，３０１，４０１）が、少なくとも１つのホイル（２）が異なる材料特性を有する少なくとも２つの隣接表面領域（２ａ、２ｂ）を有するように、該少なくとも１つのホイル（２）の同時押出により形成されることを特徴とする、請求項１から１５いずれか１項記載のデータキャリアカードを製造する方法。
【請求項１７】
前記同時押出が、実質的に２００℃以上、特に２３０℃の温度で行われることを特徴とする請求項１６記載の方法。
【請求項１８】
１つまたは複数のさらなるホイル（３，４）が、前記少なくとも１つの同時押出されたホイルの少なくとも片側にラミネーションにより適用されることを特徴とする請求項１７記載の方法。
【手続補正書】
【提出日】平成24年4月18日(2012.4.18)
【手続補正１】
【補正対象書類名】特許請求の範囲
【補正対象項目名】全文
【補正方法】変更
【補正の内容】
【特許請求の範囲】
【請求項１】
対で共回転し、対で完全に自己でぬぐう多軸押出機のためのスクリュエレメントであって、
１対のスクリュエレメントのすべての先端角度の総計が０以上、および２＊π−８＊ａｒｃｃｏｓ（０．５＊ａ／ｒａ）未満であり、
１対のスクリュエレメントの先端ゾーンの数が４よりも多く、
いずれの場合もフランクゾーンおよび溝付ゾーンからなり、いずれの場合もフランク角度および溝角度の総計がπ／２よりも大きい２つのスクリュ輪郭ゾーンを、１対のスクリュエレメントのそれぞれのスクリュエレメントが含むことを特徴とする、スクリュエレメント。
【請求項２】
１つ以上の先端ゾーンが先端角度０を有することを特徴とする、請求項１に記載のスクリュエレメント。
【請求項３】
本発明によるスクリュエレメントを使用して二軸押出機または多軸押出機でプラスチック配合物を押し出すための方法であって、
１対のスクリュエレメントのすべての先端角度の総計が０以上、および２＊π−８＊ａｒｃｃｏｓ（０．５＊ａ／ｒａ）未満であり、
１対のスクリュエレメントの先端ゾーンの数が４よりも多く、
いずれの場合もフランクゾーンおよび溝付ゾーンからなり、いずれの場合もフランク角度および溝角度の総計が、π／２よりも大きい２つのスクリュ輪郭ゾーンを、１対のスクリュエレメントのそれぞれのスクリュエレメントが含むことを特徴とする、方法。
【手続補正書】
【提出日】平成24年6月4日(2012.6.4)
【手続補正１】
【補正対象書類名】特許請求の範囲
【補正対象項目名】全文
【補正方法】変更
【補正の内容】
【特許請求の範囲】
【請求項１】
レンチキュラまたはレンチキュラ状印刷実行に使用するためにガイドロールを準備するための方法であって、印刷ロール（３６０）および１片のレンチキュラまたはレンチキュラ状印刷基材（３７０）を用意するステップと、前記レンチキュラまたはレンチキュラ印刷基材に関連付けられるレンチキュール整列特徴が前記印刷ロール（３６０）とは反対側を向くように、前記１片のレンチキュラまたはレンチキュラ状印刷基材（３７０）を前記印刷ロール（３６０）に付着させるステップとを含み、前記１片のレンチキュラまたはレンチキュラ状印刷基材は、レンチキュラ印刷実行に使用されるレンチキュラ印刷基材と実質的に同一のレンチキュール整列特徴を有する、方法。
【請求項２】
前記１片のレンチキュラまたはレンチキュラ状印刷基材（３７０）は、製作に使用される追加片のレンチキュラまたはレンチキュラ状印刷基材と実質的に同一のピッチを有し、前記付着は、印刷機における前記追加片のレンチキュラまたはレンチキュラ状印刷基材の前記印刷ロールによる操作を可能にする、請求項１に記載の方法。
【請求項３】
製作はレンチキュラ印刷実行製作を含む、請求項１または２に記載の方法。
【請求項４】
前記印刷ロールはアイドラロールおよび圧胴から成る群から選択される、請求項１〜３のいずれかに記載の方法。
【請求項５】
前記付着は前記１片のレンチキュラまたはレンチキュラ状印刷基材を前記印刷ロールに接合することを含む、請求項１〜４のいずれかに記載の方法。
【請求項６】
前記操作は、製作中に前記追加片のレンチキュラ印刷基材の位置を合わせるために、前記１片のレンチキュラ印刷基材が付着された前記印刷ロールを使用することを含む、請求項２〜５のいずれかに記載の方法。
【請求項７】
前記印刷ロールは少なくとも部分的にその外周を前記１片のレンチキュラ印刷基材により被覆される、請求項１〜６のいずれかに記載の方法。
【請求項８】
前記１片のレンチキュラ印刷基材は、製作中に前記追加片のレンチキュラ印刷基材を整列させるための溝を有する、請求項２〜７のいずれかに記載の方法。
【請求項９】
前記付着中に前記１片のレンチキュラ印刷基材の第１および第２対向縁の継ぎ合わせが可能になるように、それらを整形するステップをさらに含む、請求項１〜８のいずれかに記載の方法。
【請求項１０】
前記第１対向縁を第１波状パターンに従って、かつ前記第２対向縁を第２波状パターンに従って整形するステップをさらに含み、前記第１および第２パターンは相互に反転している、請求項９に記載の方法。
【請求項１１】
前記付着ステップは、前記印刷ロールと前記１片のレンチキュラまたはレンチキュラ状印刷基材との間に接着材を塗布することによって達成される、請求項１〜１０のいずれかに記載の方法。
【請求項１２】
レンチキュラまたはレンチキュラ状印刷基材（３７０）に印刷するための印刷機の標準印刷ロール（３６０）を準備するためのキットであって、該キットは、レンチキュラ印刷基材の第１片、および前記レンチキュラ印刷基材の第１片を標準印刷ロール（３６０）上に巻き付けかつ固定するために構成された付着要素を含み、前記固定は、前記レンチキュラ印刷基材の第２片を処理するために印刷機を使用することを可能にする、キット。
【請求項１３】
前記処理は、前記レンチキュラ印刷基材の第２片に印刷することを含む、請求項１２に記載のキット。
【請求項１４】
前記固定は接着材を用いて実行される、請求項１２または１３に記載のキット。
【請求項１５】
前記印刷ロールはアイドラロールおよび圧胴から成る群から選択される、請求項１２〜１４のいずれかに記載のキット。
【請求項１６】
前記レンチキュラ印刷基材の第１および第２片のレンチキュールは、実質的に同一のピッチおよび少なくとも１つの実質的に同一の物理的寸法のうちの少なくとも１つを有する、請求項１２〜１５のいずれかに記載のキット。
【請求項１７】
前記付着要素は、ファスナ、押圧要素、ステープル、クリップ、および接合要素から成る群から選択される、請求項１２〜１６のいずれかに記載のキット。
【請求項１８】
レンチキュラ印刷実行に使用するためにガイドロールを準備するための方法であって、ローラおよび１片のレンチキュラ状媒体を用意するステップと、前記レンチキュラ状媒体に関連付けられるレンチキュール整列特徴が前記印刷ロールとは反対側を向くように、前記１片のレンチキュラ状媒体を前記印刷ロールに付着させるステップとを含み、前記１片のレンチキュラ状媒体がレンチキュラ印刷実行に使用されるレンチキュラ印刷基材と実質的に同一のレンチキュール整列特徴を有する、方法。
【請求項１９】
前記印刷ロールはアイドラロールである、請求項１８に記載の方法。
【請求項２０】
前記付着ステップは、前記印刷ロールと前記１片のレンチキュラ状媒体との間に接着材を塗布することによって達成される、請求項１８または１９に記載の方法。
【手続補正書】
【提出日】平成24年5月23日(2012.5.23)
【手続補正１】
【補正対象書類名】明細書
【補正対象項目名】００２７
【補正方法】変更
【補正の内容】
【００２７】
図２に、横方向および縦方向に走るパイプ（１）ならびにポリウレタン（２）中に組み込まれた太陽電池（３）を有する、ソーラーモジュールの断面図を示す。モジュールは、光源に向かって、ガラスまたはプラスチック材料の最上層（４）によって、さらに保護さる。モジュールは、さらに保護および／または固定化を目的とするプレート（５）ならびにフレーム（６）を有する。
本発明の好ましい態様は、以下を包含する。
〔１〕パイプまたはホースを備えることを特徴とするポリウレタン塗膜であって、該パイプまたはホースは、好ましくは平行に配列し、ポリウレタン塗膜の厚さの９５％以下の直径を有し、熱交換のための媒体が流れることを特徴とする、ポリウレタン塗膜。
〔２〕ポリウレタンが透明であることを特徴とする、前記〔１〕に記載のポリウレタン塗膜。
〔３〕パイプまたはホースが透明であることを特徴とする、前記〔１〕に記載のポリウレタン塗膜。
〔４〕媒体が透明であることを特徴とする、前記〔１〕に記載のポリウレタン塗膜。
〔５〕反応器、ソーラーモジュールおよび太陽熱収集器の製造における、反応器、ファサード、床仕上材および温室の塗膜における、ならびにパイプ断熱のための、前記〔１〕に記載のポリウレタン塗膜の使用。
〔６〕少なくとも光源に向かって配向される場合に透明であるポリウレタン中にカプセル化された太陽電池を含んでなるソーラーモジュールであって、該ポリウレタンが、熱交換のための媒体が流れ好ましくは平行に配列したパイプまたはホースを備え、該パイプまたはホースおよび媒体が、少なくとも光源に向かって配向される場合に透明であることを特徴とする、ソーラーモジュール。
【手続補正２】
【補正対象書類名】特許請求の範囲
【補正対象項目名】全文
【補正方法】変更
【補正の内容】
【特許請求の範囲】
【請求項１】
パイプまたはホースを備えることを特徴とするポリウレタン塗膜であって、該パイプまたはホースは、好ましくは平行に配列し、ポリウレタン塗膜の厚さの９５％以下の直径を有し、熱交換のための媒体が流れることを特徴とする、ポリウレタン塗膜。
【請求項２】
反応器、ソーラーモジュールおよび太陽熱収集器の製造における、反応器、ファサード、床仕上材および温室の塗膜における、ならびにパイプ断熱のための、請求項１に記載のポリウレタン塗膜の使用。
【請求項３】
少なくとも光源に向かって配向される場合に透明であるポリウレタン中にカプセル化された太陽電池を含んでなるソーラーモジュールであって、該ポリウレタンが、熱交換のための媒体が流れ好ましくは平行に配列したパイプまたはホースを備え、該パイプまたはホースおよび媒体が、少なくとも光源に向かって配向される場合に透明であることを特徴とする、ソーラーモジュール。
【手続補正書】
【提出日】平成24年5月7日(2012.5.7)
【手続補正１】
【補正対象書類名】特許請求の範囲
【補正対象項目名】全文
【補正方法】変更
【補正の内容】
【特許請求の範囲】
【請求項１】
材料加工システムで用いられる制限された安全区画を規定する方法であって、
物理的な材料加工デバイスの計算機支援設計モデルの少なくとも１つの安全区画の位置座標を識別し、
前記設計モデルの少なくとも１つの基準アラインメント基準点の位置座標を識別し、
前記材料加工デバイスの少なくとも１つの基準点の位置座標を決定し、
前記設計モデルと前記材料加工デバイスとの間の前記基準点の位置の差を計算し、および
前記材料加工システムで使われる前記位置の差を使って、前記設計モデルの安全区画の位置座標を前記材料加工デバイスの座標系に変換する
ことを備えることを特徴とする方法。
【請求項２】
前記少なくとも１つの基準点は、前記安全区域の位置座標のうちの１つであることを特徴とする請求項１の方法。
【請求項３】
前記材料加工デバイスの少なくとも１つの基準点の位置座標を決定することは、
前記設計モデルで規定される、前記少なくとも１つの安全区画と基準点とを含む、材料加工デバイスの少なくとも一部の視覚画像を取り込むことを含む
ことを特徴とする請求項１か請求項２のいずれか一項に記載の方法。
【請求項４】
前記視覚画像を取り込むことは、少なくとも１つの安全区域と基準点を含む、前記材料加工デバイスの少なくとも一部、の近傍に位置する光源とカメラを選択的に動作させることを含み、
前記基準点の位置の差を計算することは、前記設計モデルの基準点の位置座標を、前記画像上の基準点の位置から分離する画素の数を決定することを含む
ことを特徴とする請求項３の方法。
【請求項５】
前記基準点の位置の差を計算することは、前記設計モデルの前記基準点位置の位置座標を前記材料加工デバイスの位置座標に変換するための座標変換を定義する工程をさらに備える
ことを特徴とする請求項１か請求項２のいずれか一項に記載の方法。
【請求項６】
前記座標変換の変換係数を決定することをさらに備え、
前記変換係数は、オフセット、回転、拡大縮小、キーストン効果のうちの少なくとも１つを表わす
ことを特徴とする請求項５の方法、
【請求項７】
前記安全区画の位置座標を変換することは、座標変換を前記安全区画の位置座標に適用することをさらに備える
ことを特徴とする請求項５の方法。
【請求項８】
前記少なくとも１つの安全区画の材料加工デバイスの座標を、前記材料加工システムのためのコンピュータ切断経路プログラムに移入することをさらに備え、
前記材料加工システムはレーザ加工システムであることを特徴とする請求項１の方法。
【請求項９】
前記物理的な材料加工デバイスの計算機支援設計モデルを生成することをさらに備えることを特徴とする請求項１か請求項８のいずれか一項に記載の方法。
【請求項１０】
前記少なくとも１つの安全区画は複数の安全区画であり、前記少なくとも１つの基準点は複数の基準点であり、前記複数の基準点の各々は、前記複数の安全区画のうちの１つにそれぞれ関連する安全区画の位置座標のうちの１つである
ことを特徴とする請求項１の方法。
【手続補正書】
【提出日】平成24年5月7日(2012.5.7)
【手続補正１】
【補正対象書類名】特許請求の範囲
【補正対象項目名】請求項１９
【補正方法】変更
【補正の内容】
【請求項１９】
前記領域監視装置のインタフェースを介して受信された入力に基づくゾーン構成及び選択の情報の受信に基づいて、監視ゾーンと該監視ゾーンに関連付けられた組合せゾーン選択パターンとを構成するステップを更に含むことを特徴とする請求項１３に記載の方法。
【手続補正書】
【提出日】平成24年5月22日(2012.5.22)
【手続補正１】
【補正対象書類名】特許請求の範囲
【補正対象項目名】全文
【補正方法】変更
【補正の内容】
【特許請求の範囲】
【請求項１】
癌の予防または治療用の化合物の選択方法であって、以下の工程を含んでなる、方法：
ａ）ニューロトロフィン３またはその断片と、ＴｒｋＣ受容体またはその断片とを含む培地を取得する工程（ここで、該ニューロトロフィン３またはその断片と、該ＴｒｋＣ受容体またはその断片とは、ともに特異的に相互作用して結合対を形成することができる）、
ｂ）該培地と、供試化合物とを接触させる工程、
ｃ）ニューロトロフィン３またはその断片と、該ＴｒｋＣ受容体またはその断片との間の相互作用の阻害を測定する工程、および
ｄ）工程ｃ）の測定が、該化合物の存在下でニューロトロフィン３またはその断片と、ＴｒｋＣ受容体またはその断片との間の相互作用に有意な阻害を示す場合に、その化合物を選択する工程。
【請求項２】
前記の予防または治療される癌が、腫瘍細胞がニューロトロフィン３を発現もしくは過剰発現するか、または高い比（ニューロトロフィン３／ＴｒｋＣ受容体）を発現する癌である、請求項１に記載の方法。
【請求項３】
前記の予防または治療される癌が神経芽腫である、請求項１または２に記載の方法。
【請求項４】
前記の予防または治療される癌が転移性癌または進行性癌、特に予後の悪い癌である、請求項１〜３のいずれか一項に記載の方法。
【請求項５】
工程ａ）において、前記ＴｒｋＣ受容体はヒトＴｒｋＣ受容体またはその断片、特に少なくともＴｒｋＣ受容体の細胞外ドメインを含む断片である、請求項１〜４のいずれか一項に記載の方法。
【請求項６】
前記細胞外断片がヒトＴｒｋＣまたは１９９５年７月２７日付けのＧｅｎｂａｎｋ  Ａ．Ｎ．ＡＡＢ３３１１１に示されているアミノ酸配列と少なくとも９５％の同一性を有し、その天然変異体の最初の４２９個のアミノ酸残基を含むＮ末端断片を少なくとも含んでなる、請求項５に記載の方法。
【請求項７】
工程ａ）において、前記培地が、それらの表面膜で、内因性のＴｒｋＣ受容体または組換え型のＴｒｋＣ受容体、特に少なくとも組換えＴｒｋＣ受容体の細胞外ドメインを発現する細胞を含む、請求項１〜６のいずれか一項に記載の方法。
【請求項８】
工程ａ）において、前記培地が組換えＴｒｋＣ受容体を発現する細胞を含む、請求項７に記載の方法。
【請求項９】
工程ａ）において、前記培地が、前記ＴｒｋＣ受容体をそれらの膜表面で内因的に発現し、かつニューロトロフィン３を発現または過剰発現する腫瘍細胞を含み、ならびに工程ｃ）において、供試化合物の存在下でのニューロトロフィン３と、そのＴｒｋＣ受容体との間の相互作用の阻害が、その供試化合物の存在により誘導されるアポトーシスまたは細胞死により測定される、請求項７または８に記載の方法。
【請求項１０】
原発腫瘍を有する患者において、原発腫瘍細胞を含む該患者の生検から、転移性神経芽腫、進行性神経芽腫または予後の悪い神経芽腫の存在を予測するためのインビトロ法であって、以下の工程を含んでなる、方法：
（ａ）該生検におけるニューロトロフィン３発現レベルまたは該生検における、ニューロトロフィン３発現レベルと、ＴｒｋＣ受容体発現レベルとの比を測定する工程、
ここで、非転移性原発腫瘍生検または非進行性癌生検におけるニューロトロフィン３の発現に比べて、前記生検におけるニューロトロフィン３発現レベルの増加が、転移性癌または進行性癌の存在を示す。
【請求項１１】
供試生検と、非転移性参照生検との間のニューロトロフィン３発現の比が２を超えることが、転移性癌の存在を示す、請求項１０に記載の方法。
【請求項１２】
患者に対する神経芽腫処置の有効性をインビトロで判定するため、またはＮＴ−３：ＴｒｋＣ結合の阻害に基づいて特定の神経芽腫処置に応答し得る患者のインビトロでの選択方法であって、以下の工程を含んでなる、方法：
（ａ）事前に得られた該患者からの原発腫瘍生検における、ニューロトロフィン３発現レベルを測定する工程（ここで、該神経芽腫処置の有効性は該生検において測定されたニューロトロフィン３発現レベルの量の低下と相関しているか、または選択された該特定の神経芽腫処置に応答し得る患者が、処置前にそれらの生検で測定されたニューロトロフィン３発現レベルの量が対照患者のニューロトロフィン３発現レベルの量を有意に超え、かつ場合により、ニューロトロフィン３発現レベルが該特定の処置後に低下した患者である）。
【請求項１３】
測定されるニューロトロフィン３発現産物が、特に定量的リアルタイム逆転写ＰＣＲ法により測定される、ニューロトロフィン３をコードするＲＮＡである、請求項１０〜１２のいずれか一項に記載の方法。
【請求項１４】
測定されるニューロトロフィン３の発現レベルが、特に前記ニューロトロフィン３タンパク質を特異的に認識することができる特異的抗体を用いた方法によるニューロトロフィン３タンパク質レベルの測定である、請求項１０〜１２のいずれか一項に記載の方法。
【請求項１５】
下記からなる群から選択される化合物を含む、神経芽腫の処置に使用するための薬剤：
ニューロトロフィン３と、ＴｒｋＣ受容体との間の相互作用を特異的に阻害することができるＴｒｋＣ受容体の細胞外ドメインまたはその断片、またはニューロトロフィン３と結合することができるＴｒｋＣの細胞外ドメインを少なくとも含んでなる可溶型ＴｒｋＣ受容体を含む化合物、
特異的にニューロトロフィン３またはＴｒｋＣ受容体に対する、特に、ＴｒｋＣ受容体の細胞外ドメインまたはＴｒｋＣ受容体の細胞外ドメインと相互作用することができるニューロトロフィン３断片に対するモノクローナルまたはポリクローナル抗体、および
好ましくはインビボで、細胞内でＮＴ３の発現を阻害することができるｓｉＲＮＡ（低分子干渉ＲＮＡ）核酸。
【手続補正書】
【提出日】平成24年6月18日(2012.6.18)
【手続補正１】
【補正対象書類名】特許請求の範囲
【補正対象項目名】全文
【補正方法】変更
【補正の内容】
【特許請求の範囲】
【請求項１】
回転対称要素（１４）に接続されるセンサ指状体（１２）を備えている、引張りによる試料（１６）の伸びの機械的な測定での使用のための接触式変位センサにおいて、
前記要素（１４）は、回転可能に取り付けられており、
前記要素（１４）の回転軸（１８）は、前記要素（１４）の幾何学的回転軸（２０）でもあり、
前記要素（１４）は、該回転軸（２０）を囲む外周面（２４）を備えており、該外周面（２４）に前記試料（１６）が接触される、
ことを特徴とする、接触式変位センサ。
【請求項２】
前記要素（１４）は、筒形状に形成されており、該筒形状の外周面（２４）は凸状に曲げられている、請求項１に記載の接触式変位センサ。
【請求項３】
前記要素（１４）は、ベアリングによって前記センサ指状体（１２）に接続されている、請求項１に記載の接触式変位センサ。
【請求項４】
前記ベアリングは、ボールベアリング（２６）として設計されている、請求項３に記載の接触式変位センサ。
【請求項５】
前記要素（１４）の回転抵抗は、摩擦クラッチによって調整可能である、請求項１に記載の接触式変位センサ。
【請求項６】
前記摩擦クラッチは、調整可能なバネ（スリップリング）システムとして設計されている、請求項５に記載の接触式変位センサ。
【請求項７】
前記要素（１４）の前記回転軸（１８）は、前記センサ指状体（１２）の中心軸（３４）から離れて配置されている、請求項１に記載の接触式変位センサ。
【請求項８】
伸張方向（２２）に引張ることによる試料（１６）の伸びの測定のための方法において、
少なくとも１つの請求項１に記載の接触式変位センサ（１０）は、前記回転対称要素（１４）の外周面（２４）で前記試料（１６）に接触しており、
前記接触式変位センサ（１０）は、前記要素（１４）の前記回転軸（１８）が前記試料（１６）の前記伸張方向（２２）に対して垂直となるように、配置されている、
ことを特徴とする、方法。
【請求項９】
引張りによる試料（１６）の伸びの測定のためのシステムであって、
請求項１に記載の接触式変位センサ（１０）を備えている、システム。
【手続補正書】
【提出日】平成24年6月18日(2012.6.18)
【手続補正１】
【補正対象書類名】特許請求の範囲
【補正対象項目名】全文
【補正方法】変更
【補正の内容】
【特許請求の範囲】
【請求項１】
記憶装置リソースをバックアップ動作用に割り当てる方法において、
１つ以上の記憶装置リソースに対応し、かつ１つ以上のユーザ定義の属性に関連する複数のエントリを備えたデータベースを作成するステップであって、前記データベースは前記属性の各々を１つ以上の動作と関連付け、かつ、属性と動作との間の１以上の関連付の各々に関しては、前記データベースは、対応する動作に関しての属性の適合性を示す、ステップと；
バックアップ動作において使用する１つ以上の記憶装置リソースの構成を作成するステップであって、前記構成中の前記記憶装置リソースの各々を、当該記憶装置リソースに関連する属性の値に基づいて、前記データベースから選択するステップと；
前記構成を、後のバックアップ動作で使用するために記憶するステップと
を備えていることを特徴とする方法。
【請求項２】
前記バックアップ動作用に選択した前記１つ以上の記憶装置リソースが、
論理記憶装置番号（ＬＵＮ）；
ＬＵＮのグループ；
ＬＵＮまたはＬＵＮのグループへのアクセスを提供するマウントポイント；
１つ以上のＬＵＮへのアクセスを提供するマウントポイントのグループ；
１つ以上のマウントポイントへの物理的アクセスを行うホスト；
１つ以上のマウントポイントへの物理的アクセスを行うホストのグループ；及び
１つ以上のマウントポイントへの物理的アクセスを行うホストへのネットワークアクセスを行う１つ以上のホスト
を含むグループから選択した１つ以上の記憶装置リソースを含むことを特徴とする請求項１に記載の方法。
【請求項３】
前記対応する動作に関しての前記属性の適合性は、前記属性が前記対応する動作にとって必要であるか好適であるかを示すことを特徴とする請求項２に記載の方法。
【請求項４】
前記動作は、
イメージのバックアップ；
イメージの復元；
バックアップイメージの合成；
バックアップイメージのステージング；
バックアップイメージの重複；
バックアップイメージの複製；
バックアップイメージの圧縮；
バックアップイメージの伸長；
バックアップイメージの重複除外；及び
バックアップイメージの索引付け
を含むグループから選択されることを特徴とする請求項３に記載の方法。
【請求項５】
前記記憶装置リソースのデータベース及び前記構成を、前記バックアップアプリケーションの実行時に作成することを特徴とする請求項１に記載の方法。
【請求項６】
前記バックアップ動作におけるデータソースまたはデータターゲットのいずれかが、クライアント−サーバーシステムにおけるクライアントであることを特徴とする請求項１に記載の方法。
【請求項７】
前記バックアップ動作におけるデータソースまたはデータターゲットのいずれかが、アプリケーションプログラムであることを特徴とする請求項１に記載の方法。
【請求項８】
相互接続された複数の記憶装置リソースに結合されたバックアップアプリケーションを備えたコンピュータシステムにおいて、
前記バックアップアプリケーションは、
１つ以上の記憶装置リソースに対応し、かつ１つ以上のユーザ定義の属性、に関連する複数のエントリを備えたデータベースを作成し、前記データベースは前記属性の各々を１つ以上の動作と関連付け、かつ、属性と動作との間の１以上の関連付の各々に関しては、前記データベースは、対応する動作に関しての属性の適合性を示し；
バックアップ動作において使用する１つ以上の記憶装置リソースの構成を作成し、前記構成中の前記記憶装置リソースの各々は、当該記憶装置リソースに関連する属性の値に基づいて前記データベースから選択され、
前記構成を、後のバックアップ動作で使用するために記憶する
ように構成されていることを特徴とするコンピュータシステム。
【請求項９】
前記バックアップ動作用に選択した前記１つ以上の記憶装置リソースが、
論理記憶装置番号（ＬＵＮ）；
ＬＵＮのグループ；
ＬＵＮまたはＬＵＮのグループへのアクセスを提供するマウントポイント；
１つ以上のＬＵＮへのアクセスを提供するマウントポイントのグループ；
１つ以上のマウントポイントへの物理的アクセスを行うホスト；
１つ以上のマウントポイントへの物理的アクセスを行うホストのグループ；及び
１つ以上のマウントポイントへの物理的アクセスを行うホストへのネットワークアクセスを行う１つ以上のホスト
を含むグループから選択した１つ以上の記憶装置リソースを含むことを特徴とする請求項８に記載のシステム。
【請求項１０】
前記対応する動作に関しての前記属性の適合性は、前記属性が前記対応する動作にとって必要であるか好適であるかを示すことを特徴とする請求項９に記載のシステム。
【請求項１１】
前記動作は、
イメージのバックアップ；
イメージの復元；
バックアップイメージの合成；
バックアップイメージのステージング；
バックアップイメージの重複；
バックアップイメージの複製；
バックアップイメージの圧縮；
バックアップイメージの伸長；
バックアップイメージの重複除外；及び
バックアップイメージの索引付け
を含むグループから選択されることを特徴とする請求項１０に記載のシステム。
【請求項１２】
前記記憶装置リソースのデータベース及び前記構成を、前記バックアップアプリケーションの実行時に作成することを特徴とする請求項８に記載のシステム。
【請求項１３】
前記バックアップ動作におけるデータソースまたはデータターゲットのいずれかが、クライアント−サーバーシステムにおけるクライアントであることを特徴とする請求項８に記載のシステム。
【請求項１４】
前記バックアップ動作におけるデータソースまたはデータターゲットのいずれかが、アプリケーションプログラムであることを特徴とする請求項８に記載のシステム。
【請求項１５】
コンピュータ用の命令を記憶するコンピュータ可読媒体であって、前記コンピュータ用の命令がコンピュータ上で実行されると、前記命令は請求項８〜１４のいずれかに記載の方法を行わせるように実行可能である、コンピュータ可読媒体。
【手続補正書】
【提出日】平成24年3月27日(2012.3.27)
【手続補正１】
【補正対象書類名】特許請求の範囲
【補正対象項目名】全文
【補正方法】変更
【補正の内容】
【特許請求の範囲】
【請求項１】
画像面及び非画像面を有するスキャンしたデジタル画像の位置付けを決定する方法であって、
（ａ）スキャンしたデジタル画像を発生させるようハードコピー媒体をスキャンする段階と、
（ｂ）前記ハードコピー媒体の非画像面をスキャンする段階と、
（ｃ）前記スキャンしたデジタル画像、又は前記ハードコピー媒体の前記非画像面のスキャンにおいて、手書きの注釈を検出する段階と、
（ｄ）前記手書きの注釈に関する手書きの注釈の特徴を決定する段階と、
（ｅ）前記注釈の位置付けの特徴を用いて、前記スキャンしたデジタル画像の位置付けを決定する段階と、
（ｆ）前記スキャンしたデジタル画像の決定された位置付けを記憶する段階と
を有する方法。
【請求項２】
画像面及び非画像面を夫々有する複数のスキャンしたデジタル画像の位置付けを決定する方法であって、
（ａ）前記スキャンしたデジタル画像、あるいは、１又はそれ以上のハードコピー媒体の非画像面のスキャンにおいて、手書きの注釈を検出する段階と、
（ｂ）前記１又はそれ以上のハードコピー媒体における前記手書きの注釈の位置付けに関する手書きの注釈の位置付けの特徴を決定する段階と、
（ｃ）前記注釈の位置付けの特徴を用いて、手書きの注釈を有する前記スキャンしたデジタル画像の位置付けを決定する段階と、
（ｄ）前記スキャンしたデジタル画像の決定された位置付けを記憶する段階と
を有する方法。
【請求項３】
画像面及び非画像面を有するスキャンしたハードコピー媒体の位置付けを決定する方法であって、
（ａ）画像キャプチャ装置によって生成されたハードコピー媒体をスキャンして、スキャンしたデジタル画像を発生させる段階と、
（ｂ）前記ハードコピー媒体の非画像面をスキャンする段階と、
（ｃ）前記スキャンしたデジタル画像若しくは前記スキャンした非画像面又はそれら両方から、前記ハードコピー媒体に関連するカメラモデル又はカメラフォーマットを検出する段階と、
（ｄ）前記スキャンしたデジタル画像、又は前記ハードコピー媒体の前記非画像面において、テキストを検出する段階と、
（ｅ）検出された前記テキストから特徴を抽出する段階と、
（ｆ）検出された前記カメラモデル又はカメラフォーマットを前記検出されたテキストから抽出された特徴とともに用いて前記画像の位置付けを決定する段階と
を有する方法。
【手続補正書】
【提出日】平成23年11月24日(2011.11.24)
【手続補正１】
【補正対象書類名】特許請求の範囲
【補正対象項目名】全文
【補正方法】変更
【補正の内容】
【特許請求の範囲】
【請求項１】
癌を有する疑いのある被検者からの抗体を含むサンプルを用意し、
前記サンプルをＧｂ５ならびにＧｌｏｂｏ  Ｈ、Ｂｂ２、Ｂｂ３、およびＢｂ４の１以上とインキュベートして、前記サンプル中の抗体をＧｂ５ならびにＧｌｏｂｏ  Ｈ、Ｂｂ２、Ｂｂ３、およびＢｂ４の１以上に結合させ、
Ｇｂ５に結合した抗体の量ならびにＧｌｏｂｏ  Ｈに結合した、Ｂｂ２に結合した、Ｂｂ３に結合した、またはＢｂ４に結合した抗体の量の双方を測定し、さらに
すべての結合した抗体の量に基づいて、前記被検者が癌を有しているか否かを決定することを有し、
癌を有していない被検者に比して、Ｇｂ５に結合した抗体の量に対するＧｌｏｂｏ  Ｈに結合した、Ｂｂ２に結合した、Ｂｂ３に結合した、またはＢｂ４に結合した抗体の量の割合がより高いと、前記被検者は癌を有していることを示す、癌の検査方法。
【請求項２】
前記インキュベートする段階は、前記サンプルをＧｂ５およびＧｌｏｂｏ  Ｈと混合することによって、前記サンプルをＧｂ５およびＢｂ３と混合することによって、前記サンプルをＧｂ５およびＢｂ２と混合することによって、または前記サンプルをＧｂ５、Ｇｌｏｂｏ  Ｈ、Ｂｂ２、Ｂｂ３、およびＢｂ４と混合することによって、行われる、請求項１に記載の方法。
【請求項３】
前記サンプルが血清サンプルである、請求項１または２に記載の方法。
【請求項４】
Ｇｂ５ならびにＧｌｏｂｏ  Ｈ、Ｂｂ２、Ｂｂ３、およびＢｂ４の１以上は、支持デバイスに固定化される、請求項１〜３のいずれか１項に記載の方法。
【請求項５】
前記癌は、乳癌、メラノーマ、神経芽細胞腫、皮膚癌、肝癌、前立腺癌、卵巣癌、結腸癌、胃癌、および膵臓癌からなる群より選択される、請求項１〜４のいずれか１項に記載の方法。
【請求項６】
前記癌は乳癌である、請求項５に記載の方法。
【請求項７】
Ｇｂ５ならびにＧｌｏｂｏ  Ｈ、Ｂｂ２、Ｂｂ３、およびＢｂ４の１以上は、支持デバイスに固定化される、請求項６に記載の方法。
【請求項８】
前記インキュベートする段階は、前記サンプルをＧｂ５およびＧｌｏｂｏ  Ｈと混合することによって行われる、請求項６または７に記載の方法。
【請求項９】
前記Ｇｂ５およびＧｌｏｂｏ  Ｈは、支持デバイスに固定化される、請求項８に記載の方法。
【請求項１０】
前記インキュベートする段階は、前記サンプルをＧｂ５およびＢｂ２と混合することによって行われる、請求項６に記載の方法。
【請求項１１】
前記Ｇｂ５およびＢｂ２は、支持デバイスに固定化される、請求項１０に記載の方法。
【請求項１２】
前記インキュベートする段階は、前記サンプルをＧｂ５およびＢｂ３と混合することによって行われる、請求項６に記載の方法。
【請求項１３】
前記Ｇｂ５およびＢｂ３は、支持デバイスに固定化される、請求項１２に記載の方法。
【請求項１４】
前記インキュベートする段階は、前記サンプルをＧｂ５、Ｇｌｏｂｏ  Ｈ、Ｂｂ２、Ｂｂ３、およびＢｂ４と混合することによって行われる、請求項６に記載の方法。
【請求項１５】
前記Ｇｂ５、Ｇｌｏｂｏ  Ｈ、Ｂｂ２、Ｂｂ３、およびＢｂ４は、支持デバイスに固定化される、請求項１４に記載の方法。
【請求項１６】
前記サンプルが血清サンプルである、請求項１〜１５のいずれか１項に記載の方法。